(57)【要約】      （修正有）【課題】クレーンゲームなどの遊戯機器における景品を入れる袋の開口部を容易に止着することができ、遊戯機器のクレーンを吊り下げやすくすることができる袋用留め具を提供する。【解決手段】湾曲した形状を有する弧状部１１と弧状部１１の両端側と接続された直線状の直状部１２からなる環状部１と、基部２１と基部２１の両端側からそれぞれ立設された第一側壁２２と第二側壁２３からなり、直状部１２に遊嵌する止着部２を備える。【選択図】図２
0003213153.tif 000002
【実用新案登録請求の範囲】
【請求項１】
湾曲した形状を有する弧状部と前記弧状部の両端側と接続された直線状の直状部からなる環状部と、
基部と前記基部の両端側からそれぞれ立設された第一側壁と第二側壁からなり、前記直状部に遊嵌する止着部を備えることを特徴とする袋用留め具。
【請求項２】
前記弧状部が円弧状であることを特徴とする請求項１に記載の袋用留め具。
【請求項３】
前記第一側壁又は前記第二側壁の少なくとも一方の内側面に、前記直状部と係止する係止突部を備えることを特徴とする請求項１又は請求項２に記載の袋用留め具。
【請求項４】
前記第一側壁と前記第二側壁の間隔が、前記基部側より先端に向かって徐々に狭くなっていることを特徴とする請求項１から請求項３のいずれかに記載の袋用留め具。
【考案の詳細な説明】
【技術分野】
【０００１】
本考案は、クレーンゲームやＵＦＯキャッター（登録商標）などと称されるケースの中に載置された袋入りの景品をクレーンによって吊り上げる遊戯機器において、景品を収納する袋を止着しクレーンによって係止される袋用留め具に関するものである。
【背景技術】
【０００２】
従来、クレーンゲームやＵＦＯキャッター（登録商標）などの遊戯機器における景品に関して、遊戯機器のクレーンを掛けるための円形状のリングが用いられており、景品を入れた袋の開口部を、リングに巻き付けてその景品が袋から飛び出さないように粘着テープによって留める作業が行われてきた。
【０００３】
また、クレーンゲームやＵＦＯキャッター（登録商標）などの遊戯機器に用いる用途以外にも、内容物を入れた袋の開口を閉じる器具は種々知られている。例えば、特許文献１には、対向する一対の脚片を有するＵ字状部材を、底部から一対の脚片を複数回捻じって交差させた交差部と、交差部の間に袋の開口を挟持して閉じるように形成された被結束材収容部などを備え、さらに、Ｕ字状部材の底部に形成され棒状の吊り下げ部材に吊り下げる吊り下げ環を有する結束クリップが開示されている。
【先行技術文献】
【特許文献】
【０００４】
【特許文献１】特開２００５−６７６６３号公報
【考案の概要】
【考案が解決しようとする課題】
【０００５】
しかしながら、従来の遊戯機器において用いられていた方法、すなわち、景品を入れた袋の開口部をリングに巻き付けてその景品が袋から飛び出さないように粘着テープによって留める方法では、袋の開口部をいちいち粘着テープで止着する必要があるため作業効率がよくないという課題があった。
【０００６】
また、特許文献１に記載の結束クリップでは、吊り下げ環によって吊り下げることができたとしても、そもそも遊戯機器に用いられるものでないために、その吊り下げ環がケースの中で横になっている状態で載置されることにより、吊り下げ環と載置床の間にほとんど隙間が生じないことから、遊戯機器のクレーンを吊り下げ環に掛けることが非常に困難であり、遊戯機器のゲーム性が著しく損なわれるという問題がある。
【０００７】
そのため、本考案において、クレーンゲームなどの遊戯機器における景品を入れる袋の開口部を容易に止着することができ、遊戯機器のクレーンを吊り下げやすくすることができる袋用留め具を提供することを目的とする。
【課題を解決するための手段】
【０００８】
〔１〕すなわち、本考案は、湾曲した形状を有する弧状部（１１）と前記弧状部（１１）の両端側と接続された直線状の直状部（１２）からなる環状部（１）と、基部（２１）と前記基部（２１）の両端側からそれぞれ立設された第一側壁（２２）と第二側壁（２３）からなり、前記直状部（１２）に遊嵌する止着部（２）を備えることを特徴とする袋用留め具である。
【０００９】
〔２〕そして、前記弧状部（１１）が円弧状であることを特徴とする前記〔１〕に記載の袋用留め具である。
【００１０】
〔３〕そして、前記第一側壁（２２）又は前記第二側壁（２３）の少なくとも一方の内側面に、前記直状部と係止する係止突部（２２ａ）を備えることを特徴とする前記〔１〕又は前記〔２〕に記載の袋用留め具である。
【００１１】
〔４〕そして、前記第一側壁（２２）と前記第二側壁（２３）の間隔が、前記基部（２１）側より先端に向かって徐々に狭くなっていることを特徴とする前記〔１〕から前記〔３〕のいずれかに記載の袋用留め具である。
【考案の効果】
【００１２】
本考案の袋用留め具によれば、クレーンゲームなどの遊戯機器における景品を入れる袋の開口部を容易に止着することができ、遊戯機器のクレーンを吊り下げやすくすることができる
【図面の簡単な説明】
【００１３】
【図１】本考案の一実施形態における袋用留め具の一の方向からの斜視図である。
【図２】本考案の一実施形態における袋用留め具の他の方向からの斜視図である。
【図３】本考案の一実施形態における袋用留め具の平面図である。
【図４】本考案の一実施形態における袋用留め具のＡ−Ａ線断面図である。
【図５】本考案の一実施形態における袋用留め具のＢ−Ｂ線断面図である。
【図６】本考案の一実施形態における袋用留め具の使用開始時の斜視図である。
【図７】本考案の一実施形態における袋用留め具の使用様態の斜視図である。
【考案を実施するための形態】
【００１４】
以下、本考案に係る袋用留め具に関する実施の形態について、添付の図面に基づいて詳しく説明する。なお、以下に説明する各実施形態は、本考案を実施するに好ましい具体例であるから、技術的に種々の限定がなされているが、本考案は、以下の説明において特に考案を限定する旨が明記されていない限り、この形態に限定されるものではない。また、説明中の上下方向は、図１、図２などにおける上下方向にそれぞれ対応している。
【００１５】
図１〜図５は、本考案の一実施形態を示しており、図６、図７は、その使用開始時及び使用中の状形態を示している。一実施形態における袋用留め具は、図１〜図５に示すように、リング状の環状部１と、環状部１の一部に遊嵌する止着部２を備えている。
【００１６】
環状部１は、湾曲した形状を有する弧状部１１と弧状部１１の両端側と接続された直線状の直状部１２からなる部材である。図５、図６に示すように、環状部１は、略Ｄ字の形状を有している。環状部１により、クレーンゲームなどの遊戯機器のクレーンで掛けて吊り下げることができる。本実施形態において、環状部１は、閉じたリング形状であるが、他の実施形態において、遊戯機器を用いたゲームの難易度を上げるため又は下げるために弧状部１１又は直状部１２にスリットを設けることができる。
【００１７】
弧状部１１は、外側に膨らみ滑らかに湾曲した形状であることが好ましく、円弧状であることがより好ましい。このような形状を有することにより、射出成型などの成形方法により生産を行い易く、また、クレーンゲームなどの遊戯機器のクレーンで掛けやすくなる。
【００１８】
直状部１２は、弧状部１１の湾曲した形状が途切れる両端側と接続された直線状の部材である。直状部１２は、弧状部１１ともに一体形成されており分離することができない一の部材となっている。直状部１２が、止着部２と遊嵌することより、景品Ｇの入った袋Ｂの開口部を挟持して景品Ｇが袋Ｂから飛び出さないにようにすることができるとともに、直状部１２と止着部２により挟持された袋Ｂの摩擦力により環状部１を止着部２に対して任意の角度で立設可能となり、クレーンゲームなどの遊戯機器のクレーンで吊り下げやすくすることができる。
【００１９】
環状部１は、図４に示すように、断面が円形状を有している。特に直状部１２の断面形状は、止着部２と回動しやすくなるように、円形、楕円形などの閉じた曲線形状であることが好ましい。
【００２０】
また、環状部１の素材は、高分子樹脂、金属など弾性変形可能であるものが好ましく、ポリエチレン、ポリプロピレン、ポリエチレンテレフタレート、塩化ビニルなどの熱可塑性樹脂であることがより好ましい。さらに、環状部１の素材として高分子樹脂を用いるときには、種々の色の顔料を１種又は２種以上組み合わせて混合することができ、可塑剤も必要に応じて混合することができる。
【００２１】
止着部２は、平板状の基部２１と基部２１の両端側からそれぞれ立設された第一側壁２２と第二側壁２３からなり、直状部１２に遊嵌する部材である。図４などに示すように、止着部２は、略コの字形状を有しており、環状部１とは別体である。止着部２が直状部１２に遊嵌することにより、景品Ｇの入った袋Ｂの開口部を挟持して景品Ｇが袋Ｂから飛び出さないにようにすることができるとともに、直状部１２と止着部２により挟持された袋Ｂの摩擦力により環状部１を止着部２に対して任意の角度で立設可能となり、クレーンゲームなどの遊戯機器のクレーンで吊り下げやすくすることができる。
【００２２】
基部２１は、止着部２のベースとなる部材であり、矩形状の平板形状を有している。基部２１の直状部１２と当接する側の面である内側面は、図４に示すように、直状部１２に沿うように湾曲して窪んでいる。このように、基部２１の内側面が湾曲して窪んでいることにより、直状部１２との間で円滑に回動することができる。また、基部２１の長手方向の両端側には、射出成型により製造されたときに金型から抜けやすくするための貫通孔２４が穿設されている。
【００２３】
第一側壁２２と第二側壁２３は、基部２１の短手方向の両端側に、その短手方向に沿って基部２１の長手方向の両端側に至るまで立設されている。第一側壁２２と第二側壁２３も板状部材で、基部２１側より先端に向かって徐々にその間隔が狭くなっており、直状部１２を遊嵌したときに直状部１２が抜けにくくなっている。
【００２４】
直状部１２と係止する係止突部２２ａが、第一側壁２２又は第二側壁２３における環状部１の直状部１２と当接する少なくとも一方の内側面に突設されている。図４、図５に示すように、係止突部２２ａは、第一側壁２２の内側面に、その内側面の短手方向である上下方向に沿って突設されている。図４などに示すように、係止突部２２ａは、下側から上側に向かって徐々に突出する斜辺を有する略直角三角形状を有しており、係止突部２２ａの上端面にて直状部１２と係止する。係止突部２２ａは、下側から上側に向かって徐々に突出ように傾斜しているために、直状部１２を止着部２に遊嵌するときには差し込みやすいが、直状部１２が止着部２に遊嵌しているときには抜けにくくなっている。ただし、直状部１２の断面が円形などの閉じた曲線形状であるために、所定以上の力を加えれば直状部１２を止着部２から取り外すことができる。なお、本実施形態において、係止突部２２ａは、第一側壁２２の内側面にのみ突設されているが、他の実施形態において、第二側壁２３の内側面にのみ突設することもできるし、第一側壁２２及び第二側壁２３の両方の内側面に突設することができる。
【００２５】
また、止着部２の素材は、環状部１と同様に、高分子樹脂、金属など弾性変形可能であるものが好ましく、ポリエチレン、ポリプロピレン、ポリエチレンテレフタレート、塩化ビニルなどの熱可塑性樹脂であることがより好ましい。さらに、止着部２の素材として高分子樹脂を用いるときには、種々の色の顔料を１種又は２種以上組み合わせて混合することができ、可塑剤も必要に応じて混合することができる。
【００２６】
そして、図６及び図７に示すように、景品の入った袋Ｂの開口部を環状部１の一部である直状部１２にあてがい止着部２を嵌合させることにより、容易に景品Ｇを収納した袋Ｂの開口部を止着することができ、さらに、環状部１と止着部２により挟持された袋Ｂの摩擦力により環状部１を止着部２に対して任意の角度で立設可能となり、クレーンゲームなどの遊戯機器のクレーンで吊り下げやすくすることができる。
【符号の説明】
【００２７】
１・・・環状部
１１・・・弧状部
１２・・・直状部
２・・・止着部
２１・・・基部
２２・・・第一側壁
２２ａ・・・係止突部
２３・・・第二側壁
２４・・・貫通孔
Ｂ・・・袋
Ｇ・・・景品
【図１】
0003213153.tif 000003
【図２】
0003213153.tif 000004
【図３】
0003213153.tif 000005
【図４】
0003213153.tif 000006
【図５】
0003213153.tif 000007
【図６】
0003213153.tif 000008
【図７】
0003213153.tif 000009